(57)【要約】【課題】  ＩＰ電話システムでトラフィック量が増大すると緊急連絡先への通信が不可能となる。【解決手段】  無線ＬＡＮアクセスポイント６０は呼要求のあった端末の呼情報と全ての中継接続を示す接続端末情報とを送信し、接続制御装置９０側では、トラフィック量制限判断部９６が接続端末情報から通信トラフィック量が閾値より大きいと判断すると、優先呼判定部９５が優先呼情報の示す端末が呼情報のそれと一致するか否かを判定し、呼接続制御部９１が不一致の場合、接続拒否信号を、又一致の場合、呼情報の端末の接続を指示する制御信号及び切断端末を示す切断指示情報を無線ＬＡＮアクセスポイントへ送信する。【選択図】        図１
2008078910.tif 000002
【特許請求の範囲】
【請求項１】
ＩＰ通話機能を有する無線端末と他の端末との間を中継して接続及び切断を実行する無線ＬＡＮアクセスポイントと、該無線ＬＡＮアクセスポイントの中継動作を制御する接続制御装置とを備える無線ＬＡＮを利用したＩＰ電話システムにおいて、
前記無線ＬＡＮアクセスポイントは、発呼要求を受けると発呼側及び着呼側の端末を示す呼情報を前記接続制御装置へ送信する呼情報転送部と、
呼接続される毎に現在の全ての中継接続している端末を示す接続端末情報を生成する接続端末情報生成部と、
前記生成した接続端末情報を前記接続制御装置へ送信する送信制御部と、
前記接続制御装置から接続制御信号を受けると前記発呼側及び着呼側の端末間の通話を可能とすべく接続制御する通話制御部と、
前記接続制御装置から切断指示情報を受けると該切断指示情報で示す接続通話中の端末間を切断制御する通話切断部とを含み、
前記接続制御装置は、
受信した前記接続端末情報に基づいて前記無線ＬＡＮアクセスポイントを中継接続する通信トラフィック量が閾値より大きいか否かを判定するトラフィック量制限判断部と、
緊急通話すべき端末を示す優先呼情報が格納されている優先呼情報格納部と、
前記通信トラフィック量が前記閾値より大きいと、受信した前記呼情報で示す端末が前記優先呼情報で示す端末と一致するか否かを判定する優先呼判定部と、
不一致と判定すると前記呼情報で示す端末の接続拒否信号を前記無線ＬＡＮアクセスポイントに出力し、一致と判定すると前記呼情報で示す端末の前記接続制御信号及び切断すべき端末を示す前記切断指示情報を前記無線ＬＡＮアクセスポイントに出力する呼接続制御部とを含む、
ことを特徴とする無線ＬＡＮを利用したＩＰ電話システム。
【請求項２】
前記無線ＬＡＮアクセスポイントが中継する通信のトラフィック量は、各端末間の通信速度の総和で管理されることを特徴とする請求項１に記載の無線ＬＡＮにおけるＩＰ電話システム。
【請求項３】
前記無線ＬＡＮアクセスポイントが中継する通信のトラフィック量は、自局を中継して呼接続されている無線端末の総台数で管理されることを特徴とする請求項１に記載の無線ＬＡＮを利用したＩＰ電話システム。
【発明の詳細な説明】
【技術分野】
【０００１】
本発明は、無線ＬＡＮを利用したＩＰ（Ｉｎｔｅｒｎｅｔ  Ｐｒｏｔｏｃｏｌ）電話システムにおける緊急通話に関するものである。
【背景技術】
【０００２】
インターネットの発展は、電話通信の世界にも大きな影響を与えた。ネットワークに常時接続する高速アクセスの普及に伴い、ＩＰ電話も急速に普及して企業向けのＩＰ電話システムから一般家庭向けＩＰ電話まで拡大している。ＩＰ電話は、音声信号をＩＰパケット化して送っており、従来の電話帯域（３．４ｋＨｚ）の制限を受けない長所と、通話距離が遠くなれば、従来の公衆回線網を使った通信料金に比べて安価である長所とを有している。
【０００３】
一方、無線ＬＡＮの普及も著しく、下記特許文献１には無線ＬＡＮ方式が開示されている。無線ＬＡＮは、複数の基地局である無線ＬＡＮアクセスポイントを中継局として利用するインフラストラクチャモードが採用され、電波が到達する範囲に存在する複数の無線端末により構成される。無線ＬＡＮを利用したＩＰ電話システムは、各無線ＬＡＮアクセスポイント（基地局）の接続可能な無線端末の数に制限を設けず、また各無線ＬＡＮアクセスポイントの配下となる無線端末からの発呼を差別することなく、平等に扱うのが一般的である。
【０００４】
無線ＬＡＮを利用したＩＰ電話システムでは、無線端末は、無線ＬＡＮアクセスポイント（基地局）を中継して有線ＬＡＮネットワーク上の有線端末または他の無線端末と通話することが可能となる。この場合、無線ＬＡＮアクセスポイント（基地局）ごとに無線チャンネルが設定され、即ち、無線端末は、自身が属する基地局に設定された無線チャンネルを用いて無線接続され、無線ＬＡＮアクセスポイント（基地局）を中継して、呼接続される有線ＬＡＮネットワーク上の有線端末または他の無線端末と通信することも可能である。
【特許文献１】特開２００５−８００２４号公報
【発明の開示】
【発明が解決しようとする課題】
【０００５】
ところで、インフラストラクチャモードの無線ＬＡＮにおけるＩＰ電話システムでは、無線ＬＡＮアクセスポイント（基地局）と無線端末の通信に使用される無線チャンネルを通話の途中で変更できない。このため、通信のトラフィック量が１つの無線ＬＡＮアクセスポイント（基地局）に集中することが起こる。通信のトラフィック量が集中し増加するとともに前記無線ＬＡＮアクセスポイント（基地局）の通信のスループットも増加するが、通信トラフィック量が増加し最大スループットを超えて、更にトラフィック量が集中し増加するとスループットは低下する。即ち、１つの無線ＬＡＮアクセスポイント（基地局）の無線チャンネルに通信のトラフィック量が過度に集中すると、無線チャンネルにおける通信の衝突が発生することから、スループットが低下する。
【０００６】
このため、従来の無線ＬＡＮにおけるＩＰ電話システムでは、トラフィック量が過度に集中すると、通話に必要な帯域が確保されず接続不能となることから、ＩＰ電話システムを利用して警察や消防などへ緊急連絡をとろうとして発呼しても緊急連絡先と接続されず、該緊急の通話が出来なくなる問題があった。
【０００７】
本発明の目的は、トラフィック量が集中していても、緊急連絡先に確実に接続可能な無線ＬＡＮを利用したＩＰ電話システムを提供することにある。
【課題を解決するための手段】
【０００８】
本発明は、以上の点を解決するために、次の構成を採用する。
〈構成〉
本発明は、ＩＰ通話機能を有する無線端末と他の端末との間を中継して接続及び切断を実行する無線ＬＡＮアクセスポイントと、該無線ＬＡＮアクセスポイントの中継動作を制御する接続制御装置とを備える無線ＬＡＮを利用したＩＰ電話システムにおいて、上記無線ＬＡＮアクセスポイントは、発呼要求を受けると発呼側及び着呼側の端末を示す呼情報を上記接続制御装置へ送信する呼情報転送部と、呼接続される毎に現在の全ての中継接続している端末を示す接続端末情報を生成する接続端末情報生成部と、上記生成した接続端末情報を上記接続制御装置へ送信する送信制御部と、上記接続制御装置から接続制御信号を受けると上記発呼側及び着呼側の端末間の通話を可能とすべく接続制御する通話制御部と、上記接続制御装置から切断指示情報を受けると該切断指示情報で示す接続通話中の端末間を切断制御する通話切断部とを含み、上記接続制御装置は、受信した上記接続端末情報に基づいて上記無線ＬＡＮアクセスポイントを中継接続する通信トラフィック量が閾値より大きいか否かを判定するトラフィック量制限判断部と、緊急通話すべき端末を示す優先呼情報が格納されている優先呼情報格納部と、上記通信トラフィック量が上記閾値より大きいと、受信した上記呼情報で示す端末が上記優先呼情報で示す端末と一致するか否かを判定する優先呼判定部と、不一致と判定すると上記呼情報で示す端末の接続拒否信号を上記無線ＬＡＮアクセスポイントに出力し、一致と判定すると上記呼情報で示す端末の上記接続制御信号及び切断すべき端末を示す上記切断指示情報を上記無線ＬＡＮアクセスポイントに出力する呼接続制御部とを含むことを特徴とする。
【発明の効果】
【０００９】
本発明によれば、無線ＬＡＮアクセスポイントのトラフィック量が閾値を超え、かつ発呼（着呼）端末が緊急を要する優先呼であるとき、通信中の端末を選択し切断して、該優先呼を接続すべく接続制御することにより、トラフィックが集中する場合でも、該ＩＰ電話システムを利用して緊急連絡先への発着呼の接続が可能となり、緊急連絡の通話を確実に行うことができる。
【発明を実施するための最良の形態】
【００１０】
本発明の実施形態について、図を用いて詳細に説明する。
【実施例１】
【００１１】
以下、本発明の実施形態について図を用いて詳細に説明する。
図２は、本実施例の無線ＬＡＮ（Ｌｏｃａｌ  Ａｒｅａ  Ｎｅｔｗｏｒｋ）を利用したＩＰ（Ｉｎｔｅｒｎｅｔ  Ｐｒｏｔｏｃｏｌ）電話システム１の構成図である。
ＩＰ電話システム１は、電話の呼接続制御を行う接続制御装置９０と、ＩＰ電話機能を有する無線端末１０，２０，３０、４０、・・・、５０、・・・と、これらの無線端末からの通話を中継する３つの無線ＬＡＮアクセスポイント６０、７０および８０と、接続制御装置９０と３つの無線ＬＡＮアクセスポイント（基地局）６０、７０および８０とを有線通信が可能に接続するＩＰネットワーク１１０とを備えている。無線ＬＡＮアクセスポイント６０とその配下の無線端末１０、２０および３０とは、無線チャンネル１１１を利用して無線通信が可能に接続されている。無線ＬＡＮアクセスポイント７０とその配下の無線端末４０、・・・とは、無線チャンネル１１２を利用して無線通信が可能に接続されている。無線ＬＡＮアクセスポイント８０とその配下の無線端末５０、・・・とは、無線チャンネル１１３を利用して無線通信が可能に接続されている。
【００１２】
図１は、ＩＰ電話システム１を構成する装置の機能ブロック図である。
無線ＬＡＮアクセスポイント６０と無線端末１０，２０，３０との間は、インフラストラクチャモードで無線接続されて、各無線端末１０，２０，３０からの他の端末との通話は、無線ＬＡＮアクセスポイント（基地局）６０を中継して行なわれる。例えば、無線端末１０と無線端末２０との間の通話は無線ＬＡＮアクセスポイント６０を中継して行なわれる。また、無線端末１０がＩＰネットワーク１１０に接続された有線端末（図示せず）と通話するときは、同様に無線ＬＡＮアクセスポイント６０を中継して、更にＩＰネットワーク１１０を介して行なわれる。
【００１３】
無線ＬＡＮアクセスポイント７０と無線端末４０、・・・との間は、インフラストラクチャモードで無線接続されて、各無線端末４０、・・・からの他の端末との通話は、無線ＬＡＮアクセスポイント（基地局）７０を中継して行なわれる。同様に、無線ＬＡＮアクセスポイント８０と無線端末５０、・・・との間は、インフラストラクチャモードで無線接続されて、無線端末５０、・・・からの他の端末との通話は、無線ＬＡＮアクセスポイント（基地局）８０を中継して行なわれる。
【００１４】
ところで、本実施例の呼接続制御は、ＳＩＰ（Ｓｅｓｓｉｏｎ  ＩｎｉｔｉａｔｉｏｎＰｒｏｔｏｃｏｌ）を用いて行なわれる。複数の無線端末１０，２０，３０、４０、・・、５０、・・およびＩＰネットワーク１１０に接続された有線端末に対してそれぞれ固定的にＩＰアドレスが付与されており、通話の発信先および発信元は、付与されたＩＰアドレス（端末番号）に基づいて管理されている。
【００１５】
例えば、無線ＬＡＮアクセスポイント（基地局）６０の配下である無線端末１０，２０，３０から通話するためのパケット信号の送信を行う場合、事前にキャリアセンス（無線チャンネル１１１の搬送波の有無をチェック）を行い、一定期間未使用（ｉｄｌｅ）であることを確認してパケット信号の送信を開始する。即ち、無線チャンネル１１１が使用中（Ｂｕｓｙ）から未使用（ｉｄｌｅ）へ移行すると、ＭＡＣ（Ｍｅｄｉａ  Ａｃｃｅｓｓ  Ｃｏｎｔｒｏｌ）フレームの時間間隔を示すＩＦＳ時間を待ち、データ送信の延期を示すバックオフ時間だけキャリアセンスを行って、継続して未使用（ｉｄｌｅ）であることを確認した無線端末のみが信号の送信権を得ることから、信号を同時に送信して生じる衝突を回避している。
【００１６】
本実施例の無線端末１０，２０，３０、４０、・・・、５０、・・・は同一構成で同一性能の装置が使用されている。以後の説明では、無線端末１０について説明し、その他の無線端末の説明は省略する。
【００１７】
無線端末１０は、無線チャンネル１１１を利用して呼および音声信号を通信するための無線送受信部１１と、呼および音声信号を示すパケット信号を生成し、該パケット信号に基づいて１次変調を行う送信機能および１次復調してパケット信号を得て、更に復号化して呼および音声信号を取得する受信機能を有する信号処理部１２とを備える。
【００１８】
信号処理部１２は、送信権を得た後（無線送受信部１１から送信可能信号を受けた後）、無線端末１０が発呼すると下記の動作を行う。即ち、信号処理部１２は、ハンドセット（図示せず）をオフフックしてダイヤラ（図示せず）から発信先のＩＰアドレスを示すダイヤル信号を受けると、該発信先のＩＰアドレスおよび発信元のＩＰアドレスに基づいて通話を開始させるための通話要求メッセージ（発呼情報）を作成し、該通話要求メッセージをパケット化しパケット信号を得る。該パケット信号に基づいて１次変調（Ｃｏｍｐｌｅｍｅｎｔａｒｙ  Ｃｏｄｅ  Ｋｅｙｉｎｇ、以後、ＣＣＫと記述する）を行って送信１次変調信号を生成し、変調したパケット信号を無線送受信部１１を介して出力する。
【００１９】
信号処理部１２は、発呼要求に対し、接続制御装置９０からの接続許可を示す発呼接続制御信号（パケット信号）をアクセスポイント６０経由で受信すると、該パケット信号を復号化し、発呼接続制御信号を取得する。
次に、信号処理部１２は、発呼接続制御信号を取得すると、通話動作プロセスに移行する。即ち、信号処理部１２は、ハンドセットからの音声信号をデジタル符号化処理（ＡＤ変換）して、該符号化された音声信号をパケット化しパケット信号を得る。パケット信号に基づいて１次変調（ＣＣＫ変調）を行って音声パケット信号を無線送受信部１１を介して出力される。
【００２０】
一方、信号処理部１２は、接続制御装置９０から接続拒否制御信号を示すパケット信号を受信すると、受信したパケット信号を復号化し接続拒否制御信号を取得し、接続拒否制御信号に基づいて通話動作プロセスへの移行を禁止する。
【００２１】
また、信号処理部１２は、通話の終了時にハンドセットをオンフックすると、発信先のＩＰアドレスおよび発信元のＩＰアドレスを示すとともに通話を終了させるための終話メッセージ（Ｂｕｙ）を作成し、該終話メッセージ（Ｂｕｙ）をパケット化しパケット信号を得る。該パケット信号は、同様に無線送受信部１１を介して出力される。
【００２２】
一方、信号処理部１２は、無線端末１０への着呼があり、接続制御装置９０から接続許可を示す着呼接続制御信号（パケット信号）をアクセスポイント６０経由で受信すると、着呼接続制御信号（パケット信号）を復号化する。
【００２３】
そして、信号処理部１２は、通話開始メッセージ（Ｉｎｖｉｔｅ）を含む着呼接続制御信号を取得すると、通話動作プロセスに移行するために、発信先のＩＰアドレスおよび発信元のＩＰアドレスを抽出し、発信先のＩＰアドレスが自ＩＰアドレスと一致すると、処理中を示す応答メッセージ（１００）および要求が成功したことを示す応諾メッセージ（２００）を発信元へ無線ＬＡＮアクセスポイント６０を中継して返送する（図６参照）。従って、電鈴の鳴動に応答したユーザによりハンドセットがフックオフされると、復号化されアナログ信号となった音声信号により通話が可能になる。
【００２４】
無線送受信部１１は、無線チャンネル１１１の無線搬送波の有無をチェックするキャリアセンス機能を有しており、無線チャンネル１１１がアクセスポイント６０、無線端末２０および無線端末３０のいずれかにより使用されている（Ｂｕｓｙ）ときデータ送信を延期し、未使用（Ｉｄｌｅ）に変化し所定の時間を待ってデータ送信を開始することにより、無線チャンネル１１１を用いてアクセスポイント６０と無線通信を行う。無線送受信部１１は、キャリアセンスの結果としてデータ送信可能を示す送信可能信号を信号処理部１２へ出力する。
【００２５】
次に、３つの無線ＬＡＮアクセスポイント（以後、ＡＰと記述する）６０、７０および８０を説明する。
３つのＡＰ６０、７０および８０は、本実施例では同一構成で同一性能の装置が使用される。以後の説明では、ＡＰ６０について説明し、その他のＡＰ７０および８０についての説明は省略する。
【００２６】
ＡＰ６０は、無線チャンネル１１１を用いて各無線端末１０，２０および３０と各種の情報を無線通信する無線通信部６１と、有線端末（図示せず）および接続制御装置９０へ各種の情報をＩＰネットワーク１１０を介して有線通信を行うための通信制御する有線通信部６２と、音声パケット信号や通話要求メッセージ（Ｉｎｖｉｔｅ）などを示すパケット信号を一時保持するとともにパケット信号の転送を行うための転送制御する転送制御部６３と、自局を中継して呼接続されている無線端末または有線端末の情報を示す接続端末情報を保持する接続端末情報保持部６４と、自局を中継して行われる通信の通信速度の総和を制限すべく無線端末の呼接続を切断する通話切断部６５と、を備える。
【００２７】
無線端末１０，２０および３０または有線端末からの発呼がＡＰ６０を中継して呼接続されると、転送制御部６３は呼接続される発信先および発信元のＩＰアドレスおよび接続時の通信速度データを示す接続端末情報を格納する。
図３は、接続端末情報保持部６４に保持されている接続端末情報の一例を示す。
ＡＰ６０を中継して３件の通話が行われていると、接続端末情報は、３件の接続についてそれぞれ発信先の端末番号と、発信元の端末番号と、接続時の通信速度とを示す。
【００２８】
無線通信部６１は、無線チャンネル１１１の無線搬送波の有無をチェックするキャリアセンス機能を有しており、無線チャンネル１１１が無線端末１０、無線端末２０および無線端末３０のいずれかにより使用されている（Ｂｕｓｙ）ときデータ送信を延期し、未使用（Ｉｄｌｅ）に変化し所定の時間を待って送信を開始する。
【００２９】
即ち、無線通信部６１は、例えば、無線端末１０が発呼すると、発呼した無線端末１０に対し同期を確立し無線チャンネル１１１を用いて無線接続を行い、接続制御装置９０からの発呼接続制御信号に基づいて呼接続を行う。無線端末１０は、呼接続が完了すると、ＡＰ６０を中継してＩＰネットワーク１１０上の有線端末または他の無線端末と通信が可能となる。
【００３０】
また、無線通信部６１は、他の無線端末から無線端末１０への着呼があり、音声パケット信号を生成し、該音声パケット信号に基づいて無線送信波を得て、該無線送信波を他の無線端末へ送信する。
【００３１】
有線通信部６２は、図示しない有線端末および接続制御装置９０とＩＰネットワーク１１０を介して有線通信を行うための通信制御を行う。
【００３２】
転送制御部６３は、データを一時保持するための入出力バッファを有しており、無線通信部６１から出力された呼制御メッセージ、例えば、通話要求メッセージ（Ｉｎｖｉｔｅ）を示すパケット信号を一時保持し、一時保持したパケット信号を有線通信部６２経由で接続制御装置９０および発信先へ送信すべく制御する。また、転送制御部６３は、無線通信部６１から出力された音声パケット信号を一時保持し、呼接続された後に有線通信部６２を経由して発信先へ送信すべく制御する。
【００３３】
転送制御部６３は、例えば、発信元が無線端末１０で発信先が有線端末であることを示す通話要求メッセージ（Ｉｎｖｉｔｅ）のパケット信号を無線端末１０から受信すると、該通話要求メッセージ（Ｉｎｖｉｔｅ）を示すパケット信号を接続制御装置９０および発信先の有線端末へＩＰネットワーク１１０を介して送信し、接続制御装置９０からの発呼接続制御信号に従って呼接続が確立した後に無線端末１０からの音声パケット信号を発信先の有線端末へ有線通信部６２を経由して送信すべく制御する。
【００３４】
また、転送制御部６３は、発信元が無線端末１０で発信先が他の無線端末であるとき、通話要求メッセージ（Ｉｎｖｉｔｅ）のパケット信号を無線通信部６１から受信すると、該パケット信号を接続制御装置９０へ有線通信部６２を経由して送信し、次に、発信先の無線端末に送信すべく発信先の無線端末を配下とするＡＰ７０および８０のいずれかへ送信すべく制御する。そして、転送制御部６３は、接続制御装置９０からの発呼接続制御信号に従って呼接続が確立すると、上述のように無線端末１０からの音声パケット信号を発信先の無線端末へ送信すべく制御する。
【００３５】
更に、転送制御部６３は、有線端末が発信元である呼制御メッセージを示すパケット信号および音声パケット信号を有線通信部６２を経由して受けると、これらのパケット信号を一時保持し、発信先が無線端末１０、２０および３０のいずれかであれば、呼制御メッセージ等を示すパケット信号を無線通信部６１へ出力する。
【００３６】
転送制御部６３は、後述するように、接続制御装置９０からの呼接続制御を示す呼接続制御信号、即ち、発呼接続制御信号、着呼接続制御信号および接続拒否信号のいずれかを示すパケット信号を受けると、該パケット信号を呼接続され、または接続拒否される無線端末へ送信すべく無線通信部６１に出力する。
また、転送制御部６３は、接続制御装置９０から発呼接続制御信号および着呼接続制御信号のいずれかを示すパケット信号を受けたとき、該パケット信号に基づいて呼接続される発信先および発信元のＩＰアドレスおよび接続時の通信速度データを取得し、図３に示すように、取得した発信先のＩＰアドレスと、発信元のＩＰアドレスと、接続時の通信速度データとを示す接続端末情報を生成し、該接続端末情報を接続端末情報保持部６４に格納する。
【００３７】
また、転送制御部６３は、接続制御装置９０から呼接続を切断するための切断指示情報を示すパケット信号を受けると、該パケット信号を復号化し、該切断指示情報を通話切断部６５に出力する。
転送制御部６３は、無線端末（切断呼）からの終話メッセージ（Ｂｕｙ）に対する同意メッセージ（Ａｃｋ）を受けた旨を示す同意確認信号および後述する優先呼を接続するための発呼（または着呼）接続制御信号を示すパケット信号を受けると、該パケット信号を無線端末（切断呼）に送信すべく無線通信部６１に出力し、該同意メッセージ（Ａｃｋ）を受けた旨を通話切断部６５に通知する。
【００３８】
また、転送制御部６３は、通話要求メッセージ（Ｉｎｖｉｔｅ）を示すパケット信号を受けると、例えば、無線通信部６１から出力された無線端末（発呼元）からの通話要求メッセージ（Ｉｎｖｉｔｅ）を示すパケット信号または無線通信部６１へ入力される無線端末（発信先）への通話要求メッセージ（Ｉｎｖｉｔｅ）を示すパケット信号を受けると、接続端末情報保持部６４から保持している接続端末情報を読み出して、該接続端末情報を示すパケット信号を生成し、該パケット信号を接続制御装置９０に送信すべく有線通信部６２に出力する。
【００３９】
転送制御部６３は、通話切断部６５から通話を終了させるための終話メッセージ（Ｂｕｙ）を示すパケット信号を受けると、該パケット信号を切断指示情報に示される無線端末へ送信すべく無線通信部６１に送信し、前記切断指示情報に有線端末が示されていると、該当の有線端末へ有線通信部６２を経由して送信すべく制御する。例えば、切断指示情報に無線端末２０が示されていると、転送制御部６３は、終話メッセージ（Ｂｕｙ）を示すパケット信号を無線端末２０へ送信すべく無線通信部６１へ出力する。
【００４０】
また、転送制御部６３は、通話切断部６５から呼接続の切断実行のための切断実行情報を受けると、該切断実行情報に示される無線端末および有線端末へのパケット信号の送受信を停止すべく制御する。例えば、転送制御部６３は、無線端末２０と有線端末との呼接続を切断実行するための切断実行情報を受けると、有線端末から無線端末２０へ送信される全てのパケット信号の送受信を停止するように制御する。
【００４１】
通話切断部６５は、まず、転送制御部６３から切断指示情報を受けると、通話を終了させるための終話メッセージ（Ｂｕｙ）を作成し、該終話メッセージ（Ｂｕｙ）を示すパケット信号を生成する。生成されたパケット信号は、転送制御部６３に出力される。
【００４２】
また、通話切断部６５は、終話メッセージ（Ｂｕｙ）を示すパケット信号を切断指示情報に示されている無線端末（切断呼）へ送信すべく出力した後、該パケット信号に対する応答として、前記無線端末（切断呼）からの通信切断への同意を示す同意メッセージ（Ａｃｋ）を受けた旨を接続制御装置９０から受けると、同意した無線端末（切断呼）の呼接続を切断実行するための切断実行情報を転送制御部６３へ出力する。
【００４３】
接続制御装置９０は、無線端末１０、２０，３０，４０、・・・、５０、・・・からの発呼を接続するための接続制御および前記無線端末への着呼を接続するための接続制御を示す発呼（着呼）接続制御信号を出力する呼接続制御部９１と、該発呼（着呼）接続制御信号を示すパケット信号を呼接続される無線端末を配下とするＡＰ６０、７０および８０のいずれかに送信する送信部９２と、無線端末からの発呼または無線端末への着呼を示す発呼情報を当該無線端末の基地局となるＡＰ６０、７０および８０のいずれかから受信する受信部９３と、各ＡＰ６０、７０および８０を中継して優先的に呼接続される優先呼を示す登録優先呼情報を予め保持する記憶部９４と、呼が優先呼であるか否かを判定する優先呼判定部９５と、各ＡＰを中継する通信のトラフィック量として通信の通信速度の総和を管理しており、通信速度の総和が予め定めた閾値を超えないように呼接続を制限すべく判断するトラフィック量制限判断部９６と、を備える。
【００４４】
受信部９３は、ＡＰ６０、７０および８０のいずれかを中継して無線端末１０、２０，３０，４０、・・・、５０、・・・が発呼すると、例えば、無線端末１０が発呼し、無線端末１０からの通話要求メッセージ（Ｉｎｖｉｔｅ）を示すパケット信号をＡＰ６０からＩＰネットワーク１１０を介して受信し、受信したパケット信号の順番を整えて、復号化し、通話要求メッセージ（Ｉｎｖｉｔｅ）を取得し、該通話要求メッセージ（Ｉｎｖｉｔｅ）を呼接続制御部９１および優先呼判定部９５へ出力する。
【００４５】
また、受信部９３は、例えば、有線端末（図示せず）からＩＰネットワーク１１０を介して無線端末１０、２０、３０、４０、・・・、５０、・・・に着呼があると、例えば、無線端末４０に着呼があると、発信元からの通話要求メッセージ（Ｉｎｖｉｔｅ）を示すパケット信号を該当のＡＰ７０を中継して無線端末４０へ送信するとともに、パケット信号の順番を整えて復号化し通話要求メッセージ（Ｉｎｖｉｔｅ）を取得し、該通話要求メッセージ（Ｉｎｖｉｔｅ）を呼接続制御部９１および優先呼判定部９５へ出力する。
更に、受信部９３は、ＡＰ６０、７０および８０のいずれかから保持している接続端末情報を取得すると、取得した接続端末情報をトラフィック量制限判断部９６へ出力する。
【００４６】
送信部９２は、呼接続制御部９１から発呼接続制御信号を受けると、該発呼接続制御信号を示すパケット信号を生成し、該パケット信号を前記発呼接続制御信号に基づいて呼接続される無線端末を配下とするＡＰ６０、７０よび８０のいずれかへＩＰネットワーク１１０を介して送信する。また、送信部９２は、呼接続制御部９１から着呼接続制御信号を受けると、該着呼接続制御信号を示すパケット信号を生成し、該パケット信号を前記着呼接続制御信号に基づいて呼接続される無線端末を配下とするＡＰ６０、７０よび８０のいずれかへＩＰネットワーク１１０を介して送信する。
更に、送信部９２は、呼接続制御部９１から接続拒否制御信号を受けると、該接続拒否制御信号を示すパケット信号を生成し、該パケット信号を前記接続拒否される無線端末を配下とするＡＰ６０、７０よび８０のいずれかへＩＰネットワーク１１０を介して送信する。
【００４７】
送信部９２は、呼接続制御部９１から選択した呼を切断するための切断指示情報を受けると、該切断指示情報を示すパケット信号を生成し、該パケット信号を切断指示情報に基づいて呼接続を切断指示される無線端末を配下とするＡＰ６０、７０よび８０のいずれかへＩＰネットワーク１１０を介して送信する。
【００４８】
送信部９２は、呼接続制御部９１から終話メッセージ（Ｂｕｙ）に対する同意メッセージ（Ａｃｋ）を受けた旨を示す同意確認信号および優先呼を接続するための発呼（または着呼）接続制御信号を受けると、これらの信号を示すパケット信号を生成し、該パケット信号を前記同意メッセージ（Ａｃｋ）の発信元である無線端末を配下とするＡＰ６０、７０よび８０のいずれかへＩＰネットワーク１１０を介して送信する。
【００４９】
記憶部９４は、各ＡＰ６０、７０および８０を中継して優先的に通話ができる有線端末の端末番号および無線端末の端末番号が示された登録優先呼情報を予め保持している。
例えば、登録優先呼情報には、警察署の端末番号や消防署の端末番号などが登録される。その他に、特に指定された緊急連絡先の端末番号を登録してもよい。該緊急連絡先の端末番号は、時間帯より異なるものを登録してもよい。また、図４に示すように、複数組の登録優先呼情報を予め保持しており、平日用と休日用とを選択して使用してもよいし、また、昼間用と夜間用を選択して使用するようにしてもよい。
【００５０】
トラフィック量制限判断部９６は、受信部９３から接続端末情報を受けて、該接続端末情報に基づいて各ＡＰ６０，７０および８０を中継して行われている通信のトラフィック量を求め、該トラフィック量が予め定めた閾値を超えているか否かを判断する。本実施例では、トラフィック量制限判断部９６は、前記各ＡＰのトラフィック量は通信の通信速度の総和で管理しており、接続端末情報から求められた各ＡＰにおける通信の通信速度の総和が予め定められた閾値以下の場合呼接続を許可すべく判断し、該判断結果として該当の発呼（または着呼）の接続許可を示す発呼接続指示情報（または着呼接続指示情報）を呼接続制御部９１へ出力する。
【００５１】
通信の通信速度の総和が予め定められた閾値を超えた場合、トラフィック量制限判断部９６は、呼接続を拒否すべく判断し、該判断結果を示す接続拒否情報を呼接続制御部９１へ出力する。呼接続制御部９１は接続拒否情報を受けると優先呼判定部９５を作動する。優先呼判定部９５は、受信部９３から通話を開始するための通話要求メッセージ（Ｉｎｖｉｔｅ）を受けると、記憶部９４から登録優先呼情報を読み出して、該登録優先呼情報と、前記通話要求メッセージ（Ｉｎｖｉｔｅ）に示された発信元の端末番号および発信先の端末番号とを照合して呼が優先呼であるか否かを判定する。該判定結果を示す優先呼情報は呼接続制御部９１へ出力される。呼接続制御部９１は、優先呼情報を受けると、優先呼情報および接続端末情報に基づいて無線端末と接続されている呼接続の中から優先呼に該当しないものを呼接続が切断される切断呼として選択し、選択した呼を切断し優先呼を接続するための接続制御を実行する。
【００５２】
即ち、呼接続制御部９１は、受信部９３から通話要求メッセージ（Ｉｎｖｉｔｅ）を受け、トラフィック量制限判断部９６から接続拒否情報を受けると、該接続拒否情報および通話要求メッセージ（Ｉｎｖｉｔｅ）を示す接続拒否制御信号を生成し、該接続拒否制御信号を接続拒否される無線端末を配下とするＡＰ６０、７０および８０のいずれかへ送信部９２を介して送信する。
【００５３】
そして、呼接続制御部９１は、呼接続が切断される無線端末から切断指示情報に対する同意メッセージ（Ａｃｋ）を受けると、終話に同意を示す同意メッセージ（Ａｃｋ）を受けた旨を示す同意確認信号を作成した後、優先呼端末情報に基づいて優先呼を接続するための発呼（または着呼）接続制御信号を生成する。作成した同意確認信号および発呼（または着呼）接続制御信号は、同意確認信号の発信元の無線装置を配下とするＡＰへ送信部９２を介して送信される。
【００５４】
呼接続制御部９１は、無線端末と接続されている呼接続の中から優先呼に該当しないものを切断呼として選択するとき、優先呼に該当しない無線端末の呼接続を全て切断してもよい。また、優先呼に該当しない無線端末の呼接続が複数あるとき、最新の呼接続から順に切断するようにしてもよいし、その逆に古い呼接続から順に切断するようにしてもよい。更に、トラフィック量が大きい呼接続から順に切断してもよい。いずれを採用するかは、ユーザがＩＰ電話システム１の設置目的および利用実績データを考慮して顧客の満足が得られるように選択するとよい。
【００５５】
呼接続制御部９１は、トラフィック量制限判断部９６から接続指示情報を受けると、通常の接続制御を行う。例えば、呼接続制御部９１は、無線端末１０が発呼すると、受信部９３から通話要求メッセージ（Ｉｎｖｉｔｅ）を受けて、トラフィック量制限判断部９６から接続指示情報を受けた後に、該接続指示情報および通話要求メッセージ（Ｉｎｖｉｔｅ）を示す発呼接続制御信号を生成し、該発呼接続制御信号を無線端末１０等を配下とするＡＰ６０へ送信部９２を介して送信する。
【００５６】
また、例えば、呼接続制御部９１は、無線端末４０へ着呼すると、受信部９３から通話要求メッセージ（Ｉｎｖｉｔｅ）を受け、トラフィック量制限判断部９６から接続指示情報を受けると、該接続指示情報および通話要求メッセージ（Ｉｎｖｉｔｅ）を示す着呼接続制御信号を生成し、該着呼接続制御信号を無線端末４０を配下とするＡＰ７０へ送信部９２を介して送信する。
【００５７】
図５は、接続制御装置９０の呼接続制御の処理を示すフロー図である。
接続制御装置９０において、受信部９３により無線端末１０、２０，３０、４０、・・・、５０、・・・のいずれかより該発呼を示す通話要求メッセージ（Ｉｎｖｉｔｅ）を受け（ステップＳ１１）、通話要求メッセージ（Ｉｎｖｉｔｅ）を中継したＡＰから接続端末情報を受ける（ステップＳ１２）と、呼接続制御部９１はトラフィック量制限判断部９６を作動する。トラフィック量制限判断部９６は、該接続端末情報に基づいて通信速度の総和が閾値を超えているか否かを判断し（ステップＳ１３）、通信速度の総和が閾値以下のとき、呼接続を許可する（ステップＳ１７）。トラフィック量制限判断部９６は、通信速度の総和が閾値を超えているとき、拒絶拒否情報を出力する。呼接続制御部９１は優先呼判定部９５を作動し、優先呼を示す優先呼情報を受信すると、接続端末情報に基づいて既に接続されている優先呼でない呼接続を切断呼として選択して、選択した呼を切断して優先呼を接続すべく制御する（ステップＳ１５）。
【００５８】
即ち、呼接続制御部９１は、接続を切断するための切断指示情報を送信した後、切断呼に選択された無線端末から同意メッセージ（Ａｃｋ）を受けると、優先呼を接続するための発呼（または着呼）接続制御信号を生成し、該発呼（または着呼）接続制御信号を該当のＡＰへ送信部９２を介して送信する。
また、ステップＳ１４において呼が優先呼でないとき、呼接続制御部９１は、呼接続を拒否すべく判断し、接続拒否制御信号を生成する（ステップＳ１６）。
【００５９】
実施例１の無線ＬＡＮにおけるＩＰ電話システム１の動作について説明する。
図６は、優先的に呼接続される無線端末１０が発呼した場合の呼接続処理を示す図である。
まず、無線端末１０が発呼すると、該発呼を受けたＡＰ６０は、通話要求メッセージ（Ｉｎｖｉｔｅ）を認識して通話要求メッセージ（Ｉｎｖｉｔｅ）を示すパケット信号を接続制御装置９０へ送出し、その時点でＡＰ６０を中継して接続（通信）中である無線端末または有線端末の情報を示す接続端末情報を接続制御装置９０へ送出する。トラフィック量制限判断部９６は、接続端末情報に基づいてＡＰ６０を中継して行なわれている通信の通信速度の総和を求め、該通信の通信速度の総和が閾値を超えているか否かを判断する。この例では、ＡＰ６０を中継して行なわれている通信の通信速度の総和が閾値を超えているものとする。
【００６０】
優先呼判定部９５は、作動指示を受けるので、通話要求メッセージ（Ｉｎｖｉｔｅ）が示す発呼先および発呼元の端末番号と、登録優先呼情報とを照合して、該呼が優先呼であるか否かを判定する。
無線端末１０の呼が優先呼であると判定すると、呼接続制御部９１は処理中を示す応答メッセージ（１００）を無線端末１０へＡＰ６０を中継して送信し、ＡＰ６０から受けた接続端末情報に基づいて呼接続されている無線端末の中で切断すべき端末を選択し、例えば、無線端末２０を選択し、無線端末２０に対して終話メッセージ（Ｂｕｙ）を送付する。無線端末２０は、終話メッセージ（Ｂｕｙ）を受けて、同意を示す同意メッセージ（Ａｃｋ）を接続制御装置９０へＡＰ６０を中継して送信する。
【００６１】
呼接続制御部９１は、無線端末２０からの同意メッセージ（Ａｃｋ）を受けると、無線端末２０の通話を強制的に終了させるように制御する。その後、呼接続制御部９１は、無線端末１０へＡＰ６０を中継して応諾メッセージ（２００）を送信する。無線端末１０は応諾メッセージを受けると、同意メッセージ（Ａｃｋ）を接続制御装置９０へＡＰ６０を中継して送信する。これにより、呼接続制御部９１は、無線端末１０の呼を接続すべく制御する。
【００６２】
図７は、優先的に呼接続される無線端末１０に着呼した場合の接続処理を示す図である。
無線端末４０は優先的に呼接続される無線端末１０に対して発呼を行った場合、通話要求メッセージ（Ｉｎｖｉｔｅ）を接続制御装置９０へＡＰ７０を中継して送信する。接続制御装置９０の呼接続制御部９１は、ＡＰ７０から通話要求メッセージ（Ｉｎｖｉｔｅ）および接続端末情報を受信すると、通話要求メッセージ（Ｉｎｖｉｔｅ）を無線端末１０へＡＰ６０を中継して送信する。
【００６３】
ＡＰ６０は、通話要求メッセージ（Ｉｎｖｉｔｅ）を認識した場合、この時点でＡＰ６０を中継して通信中である無線端末または有線端末の情報を示す接続端末情報を接続制御装置９０へ送出する。接続制御装置９０のトラフィック量制限判断部９６は、該接続端末情報に基づいてＡＰ６０を中継して行なわれている通信の通信速度の総和が予め定めた閾値を超えているか否かを判断する。この例では、通信の通信速度の総和が閾値を超えているものとする。
【００６４】
優先呼判定部９５は、通信速度の総和が閾値を超えているため呼接続制御部９１から作動指示を受けるので、通話要求メッセージ（Ｉｎｖｉｔｅ）が示す発信先および発信元の端末番号と、登録優先呼情報とを照合して、該呼が優先呼にであるか否かを判定する。優先呼判定部９５が無線端末１０の呼が優先呼であると判定すると、呼接続制御部９１は接続端末情報および優先呼情報に基づいて呼接続されている無線端末の中から切断呼を選択し、例えば、無線端末２０を選択し、無線端末２０に対して終話メッセージ（Ｂｕｙ）を送付する。終話メッセージ（Ｂｕｙ）を受けた無線端末２０は、同意メッセージ（Ａｃｋ）を接続制御装置９０へＡＰ６０を中継して送信する。呼接続制御部９１は、無線端末２０から同意メッセージ（Ａｃｋ）を受けると、無線端末２０の通話を強制的に終了させるように制御する。
【００６５】
その後、無線端末１０は、処理中を示す応答メッセージ（１００）を接続制御装置９０へＡＰ６０を中継して送信する。呼接続制御部９１は、該応答メッセージ（１００）を無線端末４０へＡＰ７０を中継して送信する。また、無線端末１０は、応諾メッセージ（２００）を接続制御装置９０へＡＰ６０を中継して送信し、呼接続制御部９１は、該応諾メッセージ（２００）を無線端末４０へＡＰ７０を中継して送信する。以上のようにして、呼接続制御部９１は、無線端末４０と優先呼の無線端末１０とを呼接続するように制御する。
【産業上の利用可能性】
【００６６】
以上の実施例１では、ＩＰ電話機能を有する無線端末の例を説明したが、本発明は、これに限定されることはなく、無線ＬＡＮ対応の電話機端末とパーソナルコンピュータなどにソフトウエアとして実装されたものでも適用される。
【図面の簡単な説明】
【００６７】
【図１】本発明のＩＰ電話システムを構成する装置の機能ブロック図である。
【図２】無線ＬＡＮを利用したＩＰ電話システムの構成図である。
【図３】無線ＬＡＮアクセスポイント６０に保持されている接続端末情報の一例を示す図である。
【図４】登録優先呼情報の一例を示す図である。
【図５】接続制御装置の呼接続制御を示すフロー図である。
【図６】緊急通話のための発呼したときの動作シーケンスを示す図である。
【図７】緊急通話のための着呼があったときの動作シーケンスを示す図である。
【符号の説明】
【００６８】
１            ＩＰ電話システム
１０、２０、３０        無線端末
４０、・・、５０、・・    無線端末
１１          無線送受信部
１２          信号処理器
６０、７０、８０        無線ＬＡＮアクセスポイント（ＡＰ）
６１          無線通信部
６２          有線通信部
６３          転送制御部
６４          接続端末情報保持部
６５          通話切断部
９０          接続制御装置
９１          呼接続制御部
９２          送信部
９３          受信部
９４          記憶部
９５          優先呼判定部
９６          トラフィック量制限判断部
１１０        ＩＰネットワーク
１１１、１１２、１１３      電波（無線チャンネル）
【図１】
2008078910.tif 000003
【図２】
2008078910.tif 000004
【図３】
2008078910.tif 000005
【図４】
2008078910.tif 000006
【図５】
2008078910.tif 000007
【図６】
2008078910.tif 000008
【図７】
2008078910.tif 000009